(57)【要約】【課題】ドアパネルに照明装置を取り付け、意匠性を上げることにある。【解決手段】開閉動作する左・右ドアパネル１０ａ，１０ｂのほぼ全面部又は一部の面部に対して所定の隙間を有して導光板１４ａ，１４ｂを取付け、この導光板の上下部端面又は両側部端面に対峙するように冷陰極蛍光ランプ１１ａ，１１ｂを配置し、この冷陰極蛍光ランプからの光を上下部端面又は両側部端面から導光板に入射し、導光板の表面全体から光を出す照光式ドアパネルである。【選択図】    図１
2004203612.tif 000002
【特許請求の範囲】
【請求項１】
開閉動作する左・右ドアパネルと、
この左・右ドアパネルの何れか一方又は両方のほぼ全面部又は一部の面部に対して所定の隙間を有して取り付けられる導光板と、
この導光板の上下部端面又は両側部端面に対峙するように前記ドアパネルに設けられ、前記上下部端面又は両側部端面に光を入射する冷陰極蛍光ランプと
を備え、前記導光板の表面から光を放つようにしたことを特徴とする照光式ドアパネル。
【請求項２】
開閉動作する左・右ドアパネルと、
この左・右ドアパネルの何れか一方又は両方のほぼ全面部又は一部の面部に対して所定の隙間を有して取り付けられるガラス板と、
このガラス板とドアパネルとで挟み込むように設けられ、所要の電力の供給を受けて発光する数字、文字或いは模様を形どった冷陰極蛍光ランプと
を備えたことを特徴とする照光式ドアパネル。
【請求項３】
開閉動作する左・右ドアパネルと、
この左・右ドアパネルの戸当り部の内側の縦方向に配置され、前記左・右ドアパネルの開閉に応じて異なる色を発光する複数の冷陰極蛍光ランプと
を備えたことを特徴とする照光式ドアパネル。
【請求項４】
請求項３に記載の照光式ドアパネルにおいて、
前記左ドアパネルおよび右ドアパネルの戸当り部内側にそれぞれ異なる色を発光する複数の冷陰極蛍光ランプを設けたことを特徴とする照光式ドアパネル。
【請求項５】
請求項３に記載の照光式ドアパネルにおいて、
前記左ドアパネルの戸当り部内側と右ドアパネルの戸当り部内側とにそれぞれ異なる色の冷陰極蛍光ランプを設けたことを特徴とする照光式ドアパネル。
【請求項６】
開閉動作する左・右ドアパネルと、
この左・右ドアパネルの何れか一方のほぼ全面部又は一部の面部に対して所定の隙間を有して取り付けられるガラス板と、
このガラス板と前記ドアパネルとの間の縦方向に区分して配置され、光を発する上側及び下側冷陰極蛍光ランプと、
乗り場呼びボタンの動作に連動し、エレベータかごの上昇、下降に応じて上及び下側冷陰極蛍光ランプを選択的に点灯させる手段と
を備えたことを特徴とする照光式ドアパネル。
【請求項７】
開閉動作する左・右ドアパネルと、
この左・右ドアパネルの何れか一方のほぼ全面部又は一部の面部に対して所定の隙間を有して取り付けられるガラス板と、
このガラス板と前記ドアパネルとの間に所要の形状となるように配置され、光を発する複数の冷陰極蛍光ランプと、
乗り場呼びボタンの動作に連動して複数の冷陰極蛍光ランプを選択的に点灯し、前記ガラス板を通して前記所要のイメージを表現するように表示制御する手段と
を備えたことを特徴とする照光式ドアパネル。
【請求項８】
請求項１ないし請求項７の何れか一項に記載の照光式ドアパネルにおいて、
前記冷陰極蛍光ランプに替えて、発光ダイオード及び有機エレクトロルミネッセンスのうち何れか一方を用いて光を照射するように構成することを特徴とする照光式ドアパネル。
【発明の詳細な説明】
【０００１】
【発明の属する技術分野】
本発明は、冷陰極蛍光ランプ，ＥＬＤ，有機ＥＬ等を用いてドアパネルを照光する照光式ドアパネルに関する。
【０００２】
【従来の技術】
従来のエレベータのかごドアパネルや乗り場ドアパネル（以下、ドアパネルと呼ぶ）は、鋼板等が用いられている場合には塗料を塗布し、またステンレス材を用いられている場合にはステンレスエッチングを施すものが主流となっている。
【０００３】
従って、この種のドアパネルは、塗料を用いてパネル面に所要の絵柄を描いて意匠性を上げる点を除けば、単に開閉ドアの機能をもつだけにすぎず、意匠性に限界がある。
【０００４】
また、意匠的な効果を上げる手段として、一般に照明装置を用いることが考えられが、一般家庭用蛍光ランプ（熱陰極管）や白熱電球等は大型であり、発熱量も大きいことから、薄いドアパネルには採用されていない。
【０００５】
すなわち、一般家庭用蛍光ランプは、エレベータかごの天井等に取り付けられているが、その蛍光ランプの直径が大きいだけでなく、蛍光ランプ始動時に過大な電流を流す必要から、蛍光ランプを点灯する安定器を含めて全体的に大型となる。その結果、一般家庭用蛍光ランプ、ランプボックス、安定器を含んで照明装置の奥行き方向が約１２０ｍｍ以上のスペースが必要となり、エレベータのドアパネルに取付けることが難しい。また、一般家庭用蛍光ランプは、オン・オフを繰り返すだびに寿命が短くなる特性を有している。その理由は、前述するように蛍光ランプ始動時に過大電流を必要とし、この過大電流によって陰極が損傷する為である。その結果、一般家庭用蛍光ランプは、約１年に一回程度球切れを起こすが、その都度、保守員が現場のエレベータ据付け場所に出向き、エレベータを停止させて蛍光ランプの交換作業をしなければならない。
【０００６】
さらに、照明装置として、パソコンなどのバックライトに小形の蛍光ランプとして冷陰極蛍光ランプが用いられているが、未だエレベータのドアパネルには用いられていない。
【０００７】
【特許文献】
特開平９−１４７８０２号公報（図４）
【０００８】
【発明が解決しようとする課題】
従って、以上のようなエレベータのドアパネルは、ドア本来の開閉機能を重視して作られており、ドアパネルから何らかの斬新さを出すような意匠的な効果を出すことが非常に難しい状況にある。
【０００９】
本発明は以上のような事情にかんがみてなされたもので、ドアパネルに照明装置を容易に取付け可能にするとともに、パネルの意匠性を向上させ得る照光式ドアパネルを提供することを目的とする。
【００１０】
【課題を解決するための手段】
上記課題を解決するために、本発明に係る照光式ドアパネルは、開閉動作する左右ドアパネルと、この左右ドアパネルの何れか一方又は両方のほぼ全面部又は一部の面部に対して所定の隙間を有して取り付けられる導光板と、この導光板の上下部端面又は両側部端面に対峙するように前記ドアパネルに設けられ、前記上下部端面又は両側部端面に光を入射する冷陰極蛍光ランプとを設けた構成である。
【００１１】
この発明は以上のような構成とすることにより、冷陰極蛍光ランプを用いて照明装置は非常にコンパクトであるので、左右ドアパネルの面部に取り付けても非常に薄く、従来のドアパネルの厚さ内に十分に収めることが可能である。また、冷陰極蛍光ランプを点灯すると、この冷陰極蛍光ランプからの光が対峙状態にある導光板の上下部端面又は両側部端面に入射し、導光板内部で屈折しながら一方の面部から光が出るので、パネル面である導光板を光らせることが可能となり、従来にないドアパネルを実現できる。
【００１２】
なお、左右ドアパネルに冷陰極蛍光ランプを用いた照明装置を配置することにより、冷陰極蛍光ランプ自体の形状を数字、文字或いは模様を形どった状態で表示するとか、左右ドアパネルの開閉に応じて異なる色を発光させるとか、乗り場呼びボタンの動作に連動し、エレベータかごの上昇、下降に応じて上下に配置する冷陰極蛍光ランプを選択的に点灯させるなど種々の意匠的な効用を発揮させることが可能である。
【００１３】
【発明の実施の形態】
以下、本発明の実施の形態について図面を参照して説明する。
【００１４】
（第１の実施の形態）
図１は本発明に係わるドアパネルの第１の実施の形態を説明するパネル正面図及び側面図である。
【００１５】
この実施の形態は、かごドアパネルや乗り場ドアパネルなどに適用されるものであり、以下、説明の便宜上、かごドアパネルの適用例について説明する。
【００１６】
エレベータかごは、エレベータかご内から見たとき、かご床１、かご壁となる側板２、この側板２の上部を塞ぐように設けられる天井板３、かご床１と側板２との間に取り付けられる幅木（図示せず）、かご内側からかご正面側に所定間隔をもって立設される入口柱４、この２つの入口柱４間に配置され、利用者の乗降時に開閉するドアパネル１０及びこのドアパネル１０上部と天井板３との間に取り付けられる幕板５を有する構成となっている。
【００１７】
なお、各階の乗り場においては、入口柱４に代わって所定の間隔をもって三方枠（図示せず）が立設され、この三方枠間の昇降路側に利用者の乗降時に開閉する乗り場ドアパネルが配置されている。
【００１８】
前記ドアパネル１０は、左右方向に開閉動作する左・右ドアパネル１０ａ，１０ｂと、この左・右ドアパネル１０ａ，１０ｂに取り付けられ、左・右ドアパネル１０ａ，１０ｂから光を出す照明装置が取り付けられている。
【００１９】
この照明装置は、左・右ドアパネル１０ａ，１０ｂの上・下部にそれぞれ水平に配置され、光を発光する１つ以上の上部側直管型冷陰極蛍光ランプ１１ａおよび１つ以上の下部側直管型冷陰極蛍光ランプ１１ｂと、これら冷陰極蛍光ランプ１１ａ，１１ｂの両端を支持する支持台（図示せず）と、１つ以上の上部側冷陰極蛍光ランプ１１ａ及び１つ以上の下部側冷陰極蛍光ランプ１１ｂをそれぞれ個別に点灯するためのインバータ機能をもつ安定器１２ａ，１２ｂと、これら安定器１２ａ，１２ｂの一端側を１つ以上の上部側冷陰極蛍光ランプ１１ａおよび下部側冷陰極蛍光ランプ１１ｂの一端に電気的に接続し、また安定器１２ａ，１２ｂの他端側を１つ以上の冷陰極蛍光ランプ１１ａおよび下部側冷陰極蛍光ランプ１１ｂの他端に電気的に接続する上部側配線１３ａ及び下部側は緯線１３ｂとが設けられている。これら安定器１２ａ，１２ｂには図示されていないが電力を供給するためのコネクタが接続されている。なお、１つのコネクタに２つの安定器１２ａ，１２ｂを並列的に接続する構成であってもよい。
【００２０】
前記冷陰極蛍光ランプ１１ａ，１１ｂは、少なくとも１ｍｍ〜６ｍｍ程度の直径を有する透光性放電容器と、この放電容器の両端に封止された一対の冷陰極と、放電容器の内面に塗布された蛍光体と、放電容器内に封入された放電媒体とを有し、陰極が加熱されることなく発光するので、照明のオン・オフの回数によって寿命が左右されることがなく、単に発光時間に起因する特性をもっている。また、冷陰極蛍光ランプ１１ａ，１１ｂは、高電圧を印加すると即点灯し、発光までに時間的な遅れない特徴をもっている。
【００２１】
さらに、冷陰極蛍光ランプ１１ａ，１１ｂ間に、左・右ドアパネル１０ａ，１０ｂの面部にそって配置され、かつ、上・下端面が冷陰極蛍光ランプ１１ａ，１１ｂに互いに対峙するように導光板１４ａ，１４ｂが設けられている。よって、冷陰極蛍光ランプ１１ａ，１１ｂの点灯により光が照射されると、上・下端面から導光板１４ａ，１４ｂに入射され、光の屈折による伝播を通して導光板１４ａ，１４ｂの一方面部が光るようになっている。
【００２２】
この導光板１４ａ．１４ｂは、一般的にはパソコンなどの液晶パーツに使用されており、上・下冷陰極蛍光ランプ１１ａ，１１ｂから導入される光が光ファイバと同様に内部で屈折しながら一定方向にだけ指向性をもって外部に光を放つ機能をもっている。従って、エレベータかご内部から見たとき、ドアパネル全体から光が出るように作用する。
【００２３】
以上のような構成を有する第１の実施の形態の動作について説明する。
【００２４】
１つ又は個別のコネクタから電力が安定器１２ａ，１２ｂに供給され、これら安定器１２ａ，１２ｂにより所要の値の電圧・電流からなる電力に変換され、１つ以上の上・下冷陰極蛍光ランプ１１ａ，１１ｂに供給される。ここで、上・下冷陰極蛍光ランプ１１ａ，１１ｂは、所要の電力を受けると、所定波長を有する光を照射し、互いに対峙する関係にある導光板１４ａ．１４ｂの上・下端面に入射する。
【００２５】
この導光板１４ａ．１４ｂは、入射される光が内部で屈折を繰り返しながら一方面部から光を発生するので、ドアパネル１０全体が光るようになる。
【００２６】
従って、以上のような実施の形態によれば、左・右ドアパネル１０ａ，１０ｂの上下部水平方向に冷陰極蛍光ランプ１１ａ，１１ｂを配置するとともに、この冷陰極蛍光ランプ１１ａ，１１ｂ間に上下端面が互いに対峙するように導光板１４ａ，１４ｂを配置することにより、冷陰極蛍光ランプ１１ａ，１１ｂの直径が非常に小さく、また導光板１４ａ，１４ｂの厚みも薄く形成できるので、冷陰極蛍光ランプ１１ａ，１１ｂを用いた照明装置を従来のドアパネル１０の奥行き方向の寸法内に収めることができ、従来の一般的な蛍光ランプの場合にはスペース上の問題から取り付けられないドアパネルであっても、容易に取り付けることが可能である。
【００２７】
しかも、冷陰極蛍光ランプ１１ａ，１１ｂを用いた照明装置は、従来の一般的な蛍光ランプと比較し、ランプの長寿命化、ひいてはランプの使用期間が延び、冷陰極蛍光ランプ１１ａ，１１ｂの交換回数を減らすことができる。
【００２８】
さらに、冷陰極蛍光ランプ１１ａ，１１ｂ及び導光板１４ａ，１４ｂを用いたドアパネルにおいては、導光板１４ａ，１４ｂを介してドアパネルの面側から暖かい、柔らかい光を出すとか、所望の色の光を出すようにすれば、意匠性を向上させることができる。
【００２９】
なお、上記実施の形態では、導光板１４ａ，１４ｂを左・右ドアパネル１０ａ，１０ｂの全面にわたって配置したが、例えば左・右ドアパネル１０ａ，１０ｂの上部側半分とか、下部側半分とか、或いはある大きさをもって中央部分だけに配置することも可能である。この場合には、それら導光板１４ａ，１４ｂの上下端面或いは左右端面に接近させつつ対峙するように冷陰極蛍光ランプ１１ａ，１１ｂを配置することは言うまでもない。また、左・右ドアパネル１０ａ，１０ｂの何れか一方だけに導光板を配置する構成でもよい。
【００３０】
（第２の実施の形態）
図２は本発明に係わるドアパネルの第２の実施の形態を説明するパネル正面図及び側面図である。
【００３１】
エレベータかごの構成は、図１の説明に譲り、ここでは省略する。また、ドアパネルとは、かごドアパネルや乗り場ドアパネルなどの何れも含む意味であるが、説明の便宜上、かごドアパネルの適用例について説明する。
【００３２】
この実施の形態においては、ドアパネル１０に照明装置を取り付ける点で図１と同様であるが、図１と異なり、左・右ドアパネル１０ａ，１０ｂの面全体にわたって所要厚さのガラス板２１ａ，２１ｂを添着するとともに、このガラス板２１ａ，２１ｂと左・右ドアパネル１０ａ，１０ｂとで挟み込むように数字や文字、或いは模様を形どった冷陰極蛍光ランプ１１ｃ，１１ｄ，１１ｅが配置されている。
【００３３】
因みに、図２は、ガラス板２１ａと左ドアパネル１０ａとの間に「１」を形どった冷陰極蛍光ランプ１１ｃが介在され、ガラス板２１ｂと右ドアパネル１０ｂとの間には「Ｆ」を形どった２つの冷陰極蛍光ランプ１１ｄ，１１ｅが介在されている。
【００３４】
これら冷陰極蛍光ランプ１１ｃ，１１ｄ，１１ｅ両端にはそれぞれ個別にインバータ機能をもつ安定器１２ｃ，１２ｄ，１２ｅが接続されている。なお、各冷陰極蛍光ランプ１１ｃ，１１ｄ，１１ｅの両端は、図示されていないが支持台に支持されている。
【００３５】
従って、以上のような実施の形態によれば、前述同様に冷陰極蛍光ランプ１１ｃ，１１ｄ，１１ｅの直径が非常に小さく、ガラス板２１ａ，２１ｂ自体も薄いので、冷陰極蛍光ランプ１１ｃ，１１ｄ，１１ｅを用いた照明装置を従来のドアパネル１０の奥行き方向の寸法内に収めることができ、従来の一般的な蛍光ランプの場合にはスペース上の問題から取り付けられないドアパネルであっても、容易に取り付けることが可能である。
【００３６】
しかも、冷陰極蛍光ランプ１１ｃ，１１ｄ，１１ｅを用いた照明装置は、従来の一般的な蛍光ランプと比較し、ランプの長寿命化、ひいてはランプの使用期間が延び、冷陰極蛍光ランプ１１ｃ，１１ｄ，１１ｅの交換回数を減らすことができる。
【００３７】
さらに、ガラス板２１ａ，２１ｂの裏側に近接するように数字、文字、或いは模様を形どった冷陰極蛍光ランプ１１ｃ，１１ｄ，１１ｅを配置し、これら陰極蛍光ランプ１１ｃ，１１ｄ，１１ｅから発する光をガラス板２１ａ，２１ｂを通してエレベータかご内部に照射するので、エレベータ利用者に何らかのメッセージを伝達することができ、また模様を形どった場合にはエレベータ利用者に種々の意匠的なの効用を与えることができる。
【００３８】
なお、ガラス板２１ａ側に配置される冷陰極蛍光ランプ１１ｃとして、例えば７セグメントの冷陰極蛍光ランプ１１ｃ、…を用いて「８」を構成するように配置し、エレベータかごが各階に通る際、制御盤（図示せず）またはコンピュータ等から各冷陰極蛍光ランプ１１ｃ、…に接続される安定器を選択的に動作させて電力を供給する構成とすれば、冷陰極蛍光ランプ１１ｃ、…、１１ｄ，１１ｅの点灯状態から現在エレベータかごが何階にいるかを容易に把握することができる。
【００３９】
また、ガラス板２１ａ，２１ｂは、左・右ドアパネル１０ａ，１０ｂの面全体にわたって配置したが、例えば左・右ドアパネル１０ａ，１０ｂの所要とする一部分にガラス板を配置し、そのガラス板の配置部分だけに数字、文字、或いは模様を形どった冷陰極蛍光ランプ１１ｃ，１１ｄ，１１ｅを配置する構成であっても、同様の効果を奏するものである。
【００４０】
（第３の実施の形態）
図３は本発明に係わるドアパネルの第３の実施の形態を説明するパネル正面図及び同図（ａ）に示すＸ−Ｘ矢視側面図である。
【００４１】
エレベータかごの構成は、図１の説明に譲り、ここでは省略する。また、ドアパネルとは、かごドアパネルや乗り場ドアパネルなどの何れも含む意味であるが、説明の便宜上、かごドアパネルの適用例について説明する。
【００４２】
この実施の形態においては、左・右ドアパネル１０ａ，１０ｂの戸当り部の縦方向全長にわたってそれぞれ異なる色を発する複数の冷陰極蛍光ランプ１１ｆ，１１ｆ’、１１ｇ，１１ｇ’が取り付けられ、これら冷陰極蛍光ランプ１１ｆ，１１ｆ’、１１ｇ，１１ｇ’ごとにインバータ機能をもつ安定器１２ｆ，１２ｆ’、１２ｇ，１２ｇ’が接続されている。この安定器１２ｆ，１２ｆ’、１２ｇ，１２ｇ’は、制御盤（図示せず）またはコンピュータ等からの指示に従って選択的に動作制御され、当該選択された安定器１２ｆ、１２ｇ又は１２ｆ’、１２ｇ’から所要の電力が対応する冷陰極蛍光ランプ１１ｆ、１１ｇ又は１１ｆ’、１１ｇ’に供給する構成である。
【００４３】
同図において、３１はドアパネル１０ａ，１０ｂの戸当て部内部に所要の空間部が形成するように取り付けられる仕切板、３２は仕切板３１に固定され、空間部を利用して冷陰極蛍光ランプ１１ｆ，１１ｆ’、１１ｇ，１１ｇ’を保持するソケット、３３はドアパネル１０ａ，１０ｂの戸当て部側又は当該戸当て部近傍のエレベータかご内側等に取り付けられ、冷陰極蛍光ランプ１１ｆ，１１ｆ’、１１ｇ，１１ｇ’から発する光を透過させる透過板である。
【００４４】
この実施の形態によれば、冷陰極蛍光ランプ１１ｆ，１１ｆ’、１１ｇ，１１ｇ’を用いているので、ドアパネル１０ａ，１０ｂの戸当て部内部に容易に照明装置を収めることができるだけでなく、従来の一般的な蛍光ランプと比較し、ランプの長寿命化、ひいてはランプの使用期間が延び、冷陰極蛍光ランプ１１ｆ，１１ｆ’、１１ｇ，１１ｇ’の交換回数を減らすことができる。
【００４５】
また、左右ドアパネル１０ａ，１０ｂの戸開の際、制御盤等からの制御指示に基づき、対応する安定器例えば１２ｆ，１２ｇを選択動作し、例えば緑色の冷陰極蛍光ランプ１１ｆ，１１ｇを点灯し戸開状態を表示することにより、乗客が安心して乗降することが可能であることを表示し、一方、左右ドアパネル１０ａ，１０ｂの戸閉の際、同様に制御指示に基づき、対応する安定器例えば１２ｆ’，１２ｇ’を選択動作し、例えば赤色の冷陰極蛍光ランプ１１ｆ’，１１ｇ’を点灯し戸閉状態を表示することにより、エレベータ利用者がドアパネル１０ａ，１０ｂに挟まれないような注意を促すことができる。つまり、戸開及び戸閉で色を変えることにより、左右ドアパネル１０ａ，１０ｂの現在の動作状態が人目で判り、安全性を高めることができる。
【００４６】
なお、上記実施の形態では、左右ドアパネル１０ａ，１０ｂの戸当り部の縦方向全長にわたって冷陰極蛍光ランプ１１ｆ，１１ｆ’、１１ｇ，１１ｇ’を配置したが、例えば左右ドアパネル１０ａ，１０ｂの戸当り部近傍の上部側又は下部側或いは中央部側のそれぞれ所定長さだけに取り付けてもよく、或いは何れか一方のドアパネル例えば１０ａの戸当り部に緑色の冷陰極蛍光ランプ、他方のドアパネル例えば１０ｂの戸当り部に赤色の冷陰極蛍光ランプを取付け、左右ドアパネル１０ａ，１０ｂの開閉時に選択的に緑色・赤色を表示し、左右ドアパネル１０ａ，１０ｂの現在の動作状態が人目で判るようにしてもよい。
【００４７】
また、上記実施の形態は、エレベータかごのドアパネルに適用した例について述べているが、乗り場ドアパネルについても同様に適用可能である。
【００４８】
（第４の実施の形態）
図４は本発明に係わるドアパネルの第４の実施の形態を説明するパネル正面図及び側面図である。
【００４９】
エレベータかごの構成は、図１の説明に譲り、ここでは省略する。また、ここでいうドアパネルとは、かごドアパネルや乗り場ドアパネルなどの何れも含む意味であるが、説明の便宜上、かごドアパネル１０の適用例について説明する。
【００５０】
この実施の形態においては、左・右ドアパネル１０ａ，１０ｂの何れか一方，例えば左ドアパネル１０ａの面全体にわたって所要厚さのガラス板２１ａを添着するとともに、このガラス板２１ａと左ドアパネル１０ａとで挟み込み、かつ、左ドアパネル１０ａの縦方向に上下２つの冷陰極蛍光ランプ１１ｈ，１１ｉを設けるとともに、これら冷陰極蛍光ランプ１１ｈ，１１ｉごとに安定器１２ｈ，１２ｉが接続されている。
【００５１】
この安定器１２ｈ，１２ｉは、制御盤（図示せず）またはコンピュータ等からの制御指示に従って選択的に動作制御され、当該選択された安定器１２ｈ又は１２ｉから所要の電力が対応する冷陰極蛍光ランプ１１ｈ又は１１ｉに供給する構成である。
【００５２】
以上のような構成されたドアパネルの動作について説明する。
【００５３】
エレベータかごの走行時、エレベータ利用者が上階の乗り場呼びボタンを呼び操作すると、そのエレベータの呼びと連動し、制御盤（図示せず）またはコンピュータ等から安定器１２ｈを介して冷陰極蛍光ランプ１１ｈを点灯し、エレベータかごが上階に行くことを表示し、また下階の乗り場呼びボタンを呼び操作したとき、目的階に到着後にエレベータかごが下階に行くことを表示し、エレベータかごの運転状況を容易に把握できる。
【００５４】
一方、乗り場ドアパネルのドアパネルとガラス板との間の縦方向に２つの冷陰極蛍光ランプを設けた場合、乗り場呼び場ボタンと連動して上側の冷陰極蛍光ランプ１１ｈが点灯した場合、該当乗り場に対応するエレベータかごが上に進んでいることを表示し、逆に下側の冷陰極蛍光ランプ１１ｉが点灯した場合、該当乗り場に対応するエレベータかごが下に進んでいることを表示し、エレベータの運転状況を確認できる。また、エレベータ乗り場に複数台のエレベータが設置されている場合、何れの方向から走行してくるエレベータが停止するかが人目で把握できる。
【００５５】
なお、本願発明は、上記実施の形態に限定されるものでなく、その要旨を逸脱しない範囲で種々変形して実施できる。
【００５６】
（１）  第１の実施の形態では、導光板１４ａ，１４ｂを用いたが、この導光板１４ａ，１４ｂの代わりにステンドグラスを使用することも可能である。
【００５７】
（２）  第４の実施の形態では、ドアパネルの縦方向に２本の冷陰極蛍光ランプ１１ｈ，１１ｉを取付け、エレベータの呼びに連動させたが、例えば１２本の冷陰極蛍光ランプを放射状に配置すれば、時間と連動させて選択的に点灯することにより、時計として使用することができ、ひいては意匠性を向上させることができる。
【００５８】
（３）  上記実施の形態では、ドアパネルの光源として、冷陰極蛍光ランプ１１を用いた例を説明したが、当該冷陰極蛍光ランプ１１に替えて、例えばＬＥＤ（発光ダイオード）や有機ＥＬ（エレクトロルミネッセンス）等の素子を用いて光を照射するように構成してもよい。この照明装置１０としてのＬＥＤや有機ＥＬ等の素子は、棒状（蛍光ランプ）、リング状（サークライン）或いは二次元平面状に配列し構成する。なお、１個のＬＥＤや有機ＥＬ等の素子を用いて、棒状、リング状或いは二次元平面状に構成することも可能である。また、ＬＥＤのみを組み込む場合であっても、有機ＥＬのみを組み込む場合であっても、或いは冷陰極蛍光ランプ１１とＥＬＤと有機ＥＬとを適宜に組み合わせて構成することもできる。
【００５９】
さらに、ＥＬＤや有機ＥＬは白色のものを用いる場合のほか、周囲環境、光量、使用時間帯、使用季節等に応じて他の色のものを用いることも可能であり、また複数の色のＬＥＤや有機ＥＬを混在させることも可能である。また、ＬＥＤや有機ＥＬ等の素子を発光させるために、従来一般に使用されている駆動制御装置を用いることは言うまでもない。
【００６０】
さらに、各実施の形態は可能な限り組み合わせて実施することが可能であり、その場合には組み合わせによる効果が得られる。さらに、上記各実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【００６１】
【発明の効果】
以上説明したように本発明によれば、比較的薄いドアパネルであっても、そのドアパネル内に照明装置を容易に取付けることができ、またパネルの意匠性を向上させることができるドアパネルを提供できる。
【図面の簡単な説明】
【図１】本発明に係るドアパネルの一実施の形態を示すエレベータかご内からの正面図及び側面図。
【図２】本発明に係るドアパネルの他の実施の形態を示すエレベータかご内からの正面図及び側面図。
【図３】本発明に係るドアパネルのさらに他の実施の形態を説明する図であって、同図（ａ）はエレベータかご内からの正面図、同図（ｂ）は同図（ａ）に示すＸ−Ｘ矢視断面図。
【図４】本発明に係るドアパネルのさらに他の実施の形態を示すエレベータかご内からの正面図及び側面図。
【符号の説明】
１…かご床
２…側板
３…天井板
５…幕板
１０…ドアパネル（ドアパネル本体）
１０ａ，１０ｂ…左・右ドアパネル（左・右ドアパネル本体）
１１ａ〜１１ｉ…冷陰極蛍光ランプ（ＬＥＤ，有機ＥＬ）
１４ａ，１４ｂ…導光板
２１ａ，１２ｂ…ガラス板
【図１】
2004203612.tif 000003
【図２】
2004203612.tif 000004
【図３】
2004203612.tif 000005
【図４】
2004203612.tif 000006